(57)【特許請求の範囲】
【請求項１】
帽子の左右及び後の縁部にタオルの上縁辺を係止するための装置であって、帽子の外側の左縁部及び右縁部に設けられ、帽子の生地と同じ生地からなる第１覆片と、この第１覆片の後端を帽子に縫付ける縫付け部と、前記第１覆片の前端の裏側に設けられた鉄系金属片またはマグネットと、この鉄系金属片またはマグネットと対応する位置に帽子の外側に設けられ、前記鉄系金属片またはマグネットを吸着するための、マグネットまたは鉄系金属片と、前記第１覆片の裏側に設けられ前記タオルの上縁辺のうち左または右を係止する第１クリップと、帽子の外側の後縁部に設けられ、帽子の生地と同じ生地からなる第２覆片と、この第２覆片の上端を帽子に縫付ける縫付け部と、前記第２覆片の裏側に設けられ前記タオルの上縁辺のうち中央を係止する第２クリップと、を有することを特徴とするタオル係止装置。
【請求項２】
ヘルメットの左右及び後の縁部にタオルの上縁辺を係止するための装置であって、ヘルメットの外側の左縁部及び右縁部に設けられ、マークや文字が表示された金属製の第１覆片と、この第１覆片の後端をヘルメットに、左右方向に回動可能に取付ける第１回動部と、前記第１覆片の前端の裏側に設けられた鉄系金属片またはマグネットと、この鉄系金属片またはマグネットと対応する位置にヘルメットの外側に設けられ、前記鉄系金属片またはマグネットを吸着するための、マグネットまたは鉄系金属片と、前記第１覆片の裏側に設けられ前記タオルの上縁辺のうち左または右を係止する第１クリップと、ヘルメットの外側の後縁部に設けられ、マークや文字が表示された金属製の第２覆片と、この第２覆片の上端をヘルメットに、上下方向に回動可能に取付ける第２回動部と、前記第２覆片の裏側に設けられ前記タオルの上縁辺のうち中央を係止する第２クリップと、を有することを特徴とするタオル係止装置。
【請求項３】
前記第１クリップは、前記タオルの上縁辺のうち左または右を、クリップ本体の下側から上側へ挿入し挟持した後、前記タオルの端部を外側へ折り返し、その折り返し部分をクリップ本体に覆わせた状態で係止する形状を有することを特徴とする請求項１または２に記載のタオル係止装置。  
【発明の詳細な説明】
【技術分野】
【０００１】
この発明は、帽子やヘルメットの左右及び後の縁部にタオルの上縁辺を係止するための装置の構造に関する。
【背景技術】
【０００２】
農作業や園芸作業さらにはスポーツの際には帽子をかぶって日差しや風雨から頭部を守る。工事現場などではヘルメットをかぶって、日差しや風雨のみならず危険から頭部を守る。
しかし、帽子やヘルメットをかぶっていても襟首は守りにくい。そこで下記特許文献１では、帽子にハンカチを係止するために、帽子の左右縁部に小さな帯状の部分を設け、その帯状の部分にハンカチの上縁の角部を結びつけることが提案されている。
また下記特許文献２では、ヘルメットにタオルを係止するためのクリップが提案されている。
【先行技術文献】
【特許文献】
【０００３】
【特許文献１】実用新案登録３０３９８２７号
【特許文献２】特開平７−２７８９３２号
【発明の概要】
【発明が解決しようとする課題】
【０００４】
しかしながら、上記特許文献１では、ハンカチの角部を結びつけるため、結び目が外部へ露出し、美観に難がある。また、ハンカチに比べタオルは長いので、タオルの角部を同様に結びつけて係止すると、タオルの中央が大きく垂れてしまい、襟首を十分に守ることができない。
【０００５】
また下記特許文献２では、タオルを係止する際のみならず係止しない際にも、クリップが外部へ露出し、美観に難がある。
この発明は、以上の問題点を解決するために、タオルを係止しない際や、タオルを係止する際に、結び目やクリップが露出することがなく、よって美観に優れ、さらに、襟首を十分に守ることができるタオル係止装置を提供することを目的とする。
【課題を解決するための手段】
【０００６】
以上の課題を解決するために、第一発明は、帽子の左右及び後の縁部にタオルの上縁辺を係止するための装置であって、帽子の外側の左縁部及び右縁部に設けられ、帽子の生地と同じ生地からなる第１覆片と、この第１覆片の後端を帽子に縫付ける縫付け部と、前記第１覆片の前端の裏側に設けられた鉄系金属片またはマグネットと、この鉄系金属片またはマグネットと対応する位置に帽子の外側に設けられたマグネットまたは鉄系金属片と、前記第１覆片の裏側に設けられ前記タオルの上縁辺のうち左または右を係止する第１クリップと、帽子の外側の後縁部に設けられ、帽子の生地と同じ生地からなる第２覆片と、この第２覆片の上端を帽子に縫付ける縫付け部と、前記第２覆片の裏側に設けられ前記タオルの上縁辺のうち中央を係止する第２クリップと、を有することを特徴とするタオル係止装置である。
【０００７】
第２発明は、ヘルメットの左右及び後の縁部にタオルの上縁辺を係止するための装置であって、ヘルメットの外側の左縁部及び右縁部に設けられ、マークや文字が表示された金属製の第１覆片と、この第１覆片の後端をヘルメットに回動可能に取付ける第１回動部と、前記第１覆片の前端の裏側に設けられた鉄系金属片またはマグネットと、この鉄系金属片またはマグネットと対応する位置にヘルメットの外側に設けられたマグネットまたは鉄系金属片と、前記第１覆片の裏側に設けられ前記タオルの上縁辺のうち左または右を係止する第１クリップと、ヘルメットの外側の後縁部に設けられ、マークや文字が表示された金属製の第２覆片と、この第２覆片の上端をヘルメットに回動可能に取付ける第２回動部と、前記第２覆片の裏側に設けられ前記タオルの上縁辺のうち中央を係止する第２クリップと、を有することを特徴とするタオル係止装置である。
【０００８】
第三発明は、さらに、前記第１クリップは、前記タオルの上縁辺のうち左または右を、クリップ本体の下側から上側へ挿入し挟持した後、前記タオルの端部を外側へ折り返し、その折り返し部分をクリップ本体に覆わせた状態で係止する形状を有することを特徴とするタオル係止装置である。
【発明の効果】
【０００９】
第一、第二、又は第三発明によれば、第１、第２クリップは、それぞれ、第１、第２覆片の裏側に設けられるので、タオルを係止しない際には、第１覆片を、鉄系金属片をマグネットに吸着させて閉じ、第２覆片を重力で閉じ、外部に露出させないことができ、よって美観に優れる。
タオルを係止する際には、タオルの長さに関係なく、垂れることがなく襟首を十分に守ることができる。
【００１０】
第三発明によれば、さらに、タオルを係止する際にも、第１クリップは、タオルの折り返し部分をクリップ本体に覆わせた状態で係止する形状を有するので、第１クリップが外部に露出しない。第２覆片は重力で閉じ、第２クリップは係止する際にも外部に露出しない。よって美観に優れる。
【図面の簡単な説明】
【００１１】
【図１】この発明の一実施形態にかかるタオル係止装置を示すもので、（Ａ）は全体斜視図、（Ｂ）は（Ａ）の要部を拡大して示す図、（Ｃ）は（Ｂ）の動作を示す図、（Ｄ）は（Ａ）の他の要部を拡大して示す正面図、（Ｅ）は（Ｄ）の動作を示す図である。
【図２】図１（Ｃ）の第１クリップにタオルを係止する手順を示すもので、（Ａ）は全体図、（Ｂ１）は第１手順を示す第１クリップの側面図、（Ｂ２）は（Ｂ１）の平面図、（Ｃ１）は第２手順を示す第１クリップの側面図、（Ｃ２）は（Ｃ１）の平面図、（Ｄ１）は第３手順を示す第１クリップの側面図、（Ｄ２）は（Ｄ１）の平面図である。
【図３】図２の手順などを経て帽子にタオルが係止された状態を示す全体斜視図である。
【図４】（Ａ）（Ｂ）（Ｃ）（Ｄ）は第１クリップの他の実施形態を示す側面図、（Ｅ）は第２クリップの他の実施形態を示す斜視図である。
【図５】この発明の他の実施形態にかかるタオル係止装置を示すもので、（Ａ）は全体斜視図、（Ｂ）は（Ａ）の要部を拡大して示す図、（Ｃ）は（Ｂ）の動作を示す図、（Ｄ）は（Ａ）の他の要部を拡大して示す正面図、（Ｅ）は（Ｄ）の動作を示す図である。
【発明を実施するための形態】
【００１２】
この発明の実施形態にかかるタオル係止装置を、図１〜図３に示す。
このタオル係止装置１は、帽子３の左右及び後の３箇所の縁部に、タオル５の上縁辺７を係止するための装置である。係止はそれぞれクリップ２１，３５で行われる。各クリップ２１，３５は、各々覆片１３，３３の裏側に設けられることで、覆片１３，３３によって覆われ、使用しないときには外部へ露出しない。
【００１３】
すなわち、図１に示すように、帽子３の外側の左縁部９及び右縁部１１に、第１覆片１３が設けられる。第１覆片１３は、帽子３の生地と同じ生地からなる。この第１覆片１３の後端は、縫付け部１５によって、帽子３に縫付けられる。また、第１覆片１３の前端の裏側には、鉄系金属片１７が設けられる。第１覆片１３を閉じた状態、すなわち帽子３の前方へ延ばした状態で、この鉄系金属片１７と対応する位置で、帽子３の外側にマグネット１９が設けられる。マグネット１９は鉄系金属片１７を吸着し、第１覆片１３を閉じた状態を維持する。
【００１４】
この第１覆片１３の裏側には、第１クリップ２１が設けられる。図１では、帽子３の向かって左に設けられる第１覆片１３及び第１クリップ２１が描かれるが、同様に、帽子３の向かって右にも第１覆片１３及び第１クリップ２１が設けられる。これら左右のものは、帽子３の中央線を挟んで線対称の位置と形を有する。図１（Ｃ）に示すように、各々第１覆片１３が開いた状態で、これら２つの第１クリップ２１が、タオル５の上縁辺７のうち左または右を係止する。
【００１５】
図１（Ｃ）や図２に示すように、この第１クリップ２１のクリップ本体は、タオル５を挟持する第１葉部２３と第２葉部２５とを有する。第１葉部２３は背部にあって第１覆片１３に固定される。この第１葉部２３に対して小さな連続部２７を介して第２葉部２５が、手前に位置する。これら第１葉部２３、連続部２７、および第２葉部２５は、一体的に樹脂により成形され、連続部２７の弾性により、バネ性を有し、クリップの機能を果たす。第２葉の裏側には突起爪２９が形成され、タオル５を強く挟持できる。
【００１６】
連続部２７は、第１クリップ２１の後方下側に位置する。突起爪２９はやや前方で、上下に連続した形状を有する。
第１葉部２３と第２葉部２５は底辺３１の位置がほぼ同じである。前後の長さは、第１葉部２３に対して、第２葉部２５は短い。先端（図中の右側）は、第１葉部２３よりも第２葉部２５は後退している。この後退によりタオル５を第１葉部２３と第２葉部２５の間に挿入しやすい。高さは、第１葉部２３に対して、第２葉部２５は高い。第２葉部２５は前方のみが高くなっている。
【００１７】
帽子３の外側の後縁部には、第２覆片３３が設けられる。この第２覆片３３も、帽子３の生地と同じ生地からなる。この第２覆片３３の上端は、縫付け部１５によって帽子３に縫付けられる。第２覆片３３の裏側には、第２クリップ３５が設けられる。図１（Ｅ）に示すように、第２覆片３３が重力で閉じた状態のままで、第２クリップ３５は、タオル５の上縁辺７のうち中央を係止する。
【００１８】
［タオル５を係止する手順］
まず、タオル５の上縁辺７のうち中央を、帽子３の後の第２クリップ３５で係止する。このとき図１（Ｅ）のように、図１（Ｄ）の第２覆片３３の下側をめくりあげて、係止を行う。そして、係止後、第２覆片３３は重力で閉じた状態のままとなる。
【００１９】
次に、帽子３の左右で第１覆片１３の鉄系金属片１７を帽子３のマグネット１９からはがし、第１覆片１３を開く（図１（Ｃ））。各々第１覆片が開いた状態で、これら２つの第１クリップ２１が、タオル５の上縁辺７のうち左または右を係止する。
図２に示すように、この第１クリップ２１の係止において、タオル５の上縁辺７のうち端部を、第１クリップ本体の下側から上側へ挿入し、突起爪２９で挟持する（図２（Ｂ１）（Ｂ２））。その後、タオル５の端部を外側へ折り返す（図２（Ｃ１）（Ｃ２））。その折り返し部分の上方を、クリップ本体の第２葉部２５の高い部分を覆うようにして、クリップ本体の上側から下方へ挿入し、突起爪２９で挟持する（図２（Ｄ１）（Ｄ２）（Ａ））。これによりタオル５の折り返し部分がクリップ本体を覆った状態となる。
【００２０】
以上のようにして、帽子３の左右及び後の縁部で、タオル５の上縁辺７の左右及び後の３箇所が係止され、図３の状態となる。
【００２１】
「実施形態の効果」
この実施形態によれば、第１、第２クリップ２１，３５は、それぞれ、第１、第２覆片１３，３３の裏側に設けられるので、タオル５を係止しない際には、第１覆片１３を、鉄系金属片１７をマグネット１９に吸着させて閉じ、さらには、第２覆片３３を重力で閉じることで、第１、第２クリップ２１，３５は、外部に露出しない。よって美観に優れる。
【００２２】
また、タオル５を係止する際には、第１、第２クリップ２１，３５の働きで、タオル５の長さに関係なく、垂れることがなく襟首を十分に守ることができる。
さらに、タオル５を係止する際にも、第１クリップ２１は、タオル５の折り返し部分をクリップ本体に覆わせた状態で係止する形状を有するので、第１クリップ２１が外部に露出しない。また、第２覆片３３は重力で閉じ、第２クリップ３５は、タオル５を係止する際にも、外部に露出しない。よって美観に優れる。
【００２３】
「他の実施形態」
以上の実施形態では、第１覆片１３に鉄系金属片１７が設けられ、この鉄系金属片１７と対応する位置で、帽子３の外側にマグネット１９が設けられるものであったが、これらの関係は逆でも構わない。すなわち、第１覆片１３にマグネット１９が設けられ、このマグネット１９と対応する位置で、帽子３の外側に鉄系金属片１７が設けられるものでも良い。
【００２４】
以上の実施形態では、第１クリップ２１は図１（Ｃ）の如き形状を有するものであったが、他の実施形態では、いろいろの形状をとることができる。たとえば、図４（Ａ）〜（Ｄ）のようにできる。
同図（Ａ）のように第２葉部２５が大きな円形のものでもよい。このようにすればタオル５により第１クリップ２１が広く覆われ、より外部に露出しない。
【００２５】
また同図（Ｂ）のように第２葉部２５の頭部が前方へ細く斜めに突き出たものでもよい。このようにすれば、タオル５の折り返し部分の上方を、突起爪２９の働きだけでなく、この突き出た部分で摩擦を大きくし、より確かに保持することができる。
また同図（Ｃ）のように第２葉部２５の頭部が広く前方へ斜めに突き出たものでもよい。このようにすれば、タオル５の折り返し部分の上方を、突起爪２９の働きだけでなく、この突き出た部分で、より確かに保持することができると同時に、タオル５により第１クリップ２１が広く覆われ、より外部に露出しない効果を合わせて有する。
【００２６】
以上の実施形態では、第２クリップ３５は図１（Ｅ）の如き形状を有するものであったが、他の実施形態では、いろいろの形状をとることができる。たとえば、図４（Ｅ）のように、別体のバネを用いずに、第２クリップ３５自体の弾性によりバネ性を有するものとすることができる。また、このようにすれば、帽子３の後方に調整ベルトが設けられている場合であっても、装置を装着しやすい。
【００２７】
以上の実施形態では、タオル係止装置１は帽子３に設けられるものであったが、他の実施形態では、ヘルメットに設けられるものでも良い。
すなわち、図５に示すように、ヘルメット３７の左右（図５（Ａ）（Ｂ）（Ｃ））及び後（図５（Ｄ）（Ｅ））の縁部にタオル５の上縁辺７を係止するための装置とすることができる。
【００２８】
この図５の実施形態では、第１覆片１３は、ヘルメット３７の外側の左縁部９及び右縁部１１に設けられ、マークや文字３９が表示された金属製で、バッジの形態を有する。この第１覆片１３の後端は、第１回動部４１によって、ヘルメット３７に回動可能に取付けられる。第１覆片１３の前端の裏側には、鉄系金属片１７またはマグネットが設けられる。この鉄系金属片１７またはマグネットと対応する位置に、ヘルメット３７の外側には、マグネット１９または鉄系金属片が設けられる。第１覆片１３の裏側に設けられる第１クリップ２１が、タオル５の上縁辺７のうち左または右を係止する。
【００２９】
ヘルメット３７の外側の後縁部に設けられる第２覆片３３は、やはり、マークや文字が表示された金属製で、バッジの形態を有する。この第２覆片３３の上端は、第２回動部４３によって、ヘルメット３７に回動可能に取付けられる。第２覆片３３の裏側には第２クリップ３５が設けられ、タオル５の上縁辺７のうち中央を係止する。
図５の実施形態の装置の他の構造は、図１とほぼ同様であり、同様の部分には同様の符号を付す。また、作用機能もほぼ同様である。
【符号の説明】
【００３０】
１…タオル係止装置、３…帽子、５…タオル、７…上縁辺、９…左縁部、１１…右縁部、１３…第１覆片、１５…縫付け部、１７…鉄系金属片、１９…マグネット、２１…第１クリップ、２３…第１葉部、２５…第２葉部、２７…連続部、２９…突起爪、３１…底辺、３３…第２覆片、３５…第２クリップ、３７…ヘルメット、３９…文字、４１…第１回動部、４３…第２回動部。
【図１】
0005602254.tif 000002
【図２】
0005602254.tif 000003
【図３】
0005602254.tif 000004
【図４】
0005602254.tif 000005
【図５】
0005602254.tif 000006